(57)【要約】      （修正有）【課題】保護部材がディスクに当たったときに、ディスクへのダメージ及び滑り振動音を低減し、また保護部材の剥れを防止できるようにしたピックアップ装置を提供する。【解決手段】保護部材３０の上面３０ｄは、ディスクＤの回転方向下流側の端面３０ｂが上に位置する傾斜面であるため、保護部材３０の上流側の端部３０ａよりも前記端部３０ｂがディスクＤの表面Ｄ１に先に当たるようになる。よって、高速で回転しているディスクＤの表面Ｄ１に与えられるダメージを小さくできる。また端部３０ｂが表面Ｄ１に当たって摺動したときの変形振動によるノイズも低減できる。さらに端部３０ｂと表面Ｄ１が摺動しても、この間の摺動力によって保護部材３０に捲れ上がるような力が作用しにくくなり、保護部材３０が固定領域から容易に剥がれるのを防止できる。【選択図】    図３
2004303383.tif 000002
【特許請求の範囲】
【請求項１】
対物レンズを保持する可動ベースと、前記可動ベースを前記対物レンズの光軸方向へ補正動作させる駆動手段とが設けられたピックアップ装置において、
前記可動ベースには、その表面が前記対物レンズの表面よりもディスクに接近する位置にある保護部が設けられており、前記保護部の表面の前記光軸方向での高さは、前記ディスクの回転方向の下流側よりも上流側の方が低くなっていることを特徴とするピックアップ装置。
【請求項２】
前記保護部の上面は、前記下流側から上流側にかけて連続する傾斜面である請求項１記載のピックアップ装置。
【請求項３】
前記保護部は、可動ベースに取り付けられた保護部材により形成されている請求項１または２記載のピックアップ装置。
【請求項４】
前記保護部材は、前記可動ベースに対して傾斜して取り付けられている請求項３記載のピックアップ装置。
【請求項５】
前記可動ベース上には、複数の係止部が設けられており、この係止部に挟まれた固定領域内に前記保護部材が固定されている請求項３または４記載のピックアップ装置。
【発明の詳細な説明】
【０００１】
【発明の属する技術分野】
本発明は、ＣＤ、ＤＶＤなどのディスクの再生または／および記録を行うピックアップ装置に係わり、特に対物レンズを保持する可動ベースに、ディスクに対向する保護部が設けられたピックアップ装置に関する。
【０００２】
【従来の技術】
図８は従来のピックアップ装置の主要部分を示す概略図、図９はピックアップとディスクの記録面との位置関係を示す部分拡大図である。
【０００３】
図８に示すピックアップ装置１は、ターンテーブルＴ上に回転自在に支持されたディスクＤの下方（図示Ｚ２方向）に対向して、ディスクＤの半径方向（図８では紙面に対し直交するＹ方向）に移動自在に設けられている。
【０００４】
ピックアップ装置１内には、支持部材２とこの支持部材２の側面に固定された基板３が設けられている。ワイヤーなどで形成される弾性支持部材４，４はディスクの面に沿うＸ方向に平行に延び、この弾性支持部材４，４の基部が前記支持部材２に挿通されて前記基板３に半田付けで固定されている。また、前記弾性支持部材４，４の先部には可動ベース５が固定されている。
【０００５】
前記可動ベース５のディスクとの対向部には、鏡筒６が一体に形成されており、この鏡筒６に対物レンズが支持されている。
【０００６】
また、ピックアップ装置１には、可動ベース５を対物レンズの光軸方向（Ｚ１−Ｚ２）方向へ補正駆動してフォーカシング補正を行い、また対物レンズの光軸をディスクに記録されたトラックを横断するトラッキング方向へ駆動する補正駆動手段が設けられている。
【０００７】
可動ベース５は、前記光軸方向へ移動自在であるため、外部振動が与えられたとき、あるいはフォーカシング補正動作を安定させるための引き込み開始動作時、あるいは何らかの理由で過大なフォーカシング補正電流が与えられたときに、可動ベース５がディスクＤの方向へ大きく振れて、対物レンズの表面あるいは鏡筒６の表面がディスクＤに当たることが有り得る。このような現象が生じると、対物レンズを損傷したり、あるいは回転中のディスクＤの表面に傷を付けるおそれがある。特に、ＤＶＤでは、対物レンズの開口数が大きく、対物レンズの表面とディスクとの間の作動距離が狭いために、対物レンズとディスクとが当たる確率が高くなる。
【０００８】
そこで、以下の特許文献１や特許文献２には、図８、９に示すように可動ベース５の上面に、対物レンズや鏡筒６よりもディスクに向けて突出する保護部材７が設けられた発明が開示されている。前記保護部材７はシリコンゴムなどの軟質な部材で形成されて、前記可動ベース５に接着剤などで固着されているのが一般的である。
【０００９】
【特許文献１】
特開２００１−１８４６８５号公報
【特許文献２】
特開２００２−２５０９４号公報
【００１０】
【発明が解決しようとする課題】
上記従来のピックアップ装置１では、可動ベース５が、平行に延びる弾性支持部材４，４で支持されているため、フォーカシング補正動作において可動ベース５が対物レンズの光軸の方向へ平行な姿勢で動作しやすくしている。しかし、実際の動作では、フォーカシング補正動作において、弾性支持部材４，４が可動ベース５の質量により前下がり状態に湾曲することがあり、その場合に、可動ベース５が図９に示す姿勢、すなわちディスクの回転方向の上流側の端部５ａがディスク方向へ持ち上がる姿勢となることがある。
【００１１】
また、ピックアップ装置１の組み立て作業において、対物レンズの光軸がディスクの記録面に垂直な向きとなるように調整されるが、このときのタンゼンシャルスキュー調整の結果、前記端部５ａがディスクに向けて持ち上がった姿勢となることもある。さらには、回転駆動されるディスクに面振れがある場合に、可動ベース５とディスクとの相対的な姿勢として、前記端部５ａがディスクの面に向くように可動ベース５が傾く瞬間がある。
【００１２】
可動ベース５が前記のような傾斜姿勢でフォーカシング方向へ大きく振れた場合、前記保護部材７の上面のうちのディスクの回転方向の上流側の端部７ａが先にディスクに当たることになる。前記端部７ａがディスクに当たると、高速に回転しているディスクに対して前記端部７ａの鋭いエッジが摺動することになり、この端部７ａがディスクＤを傷つけることがある。また保護部材７がシリコンゴムなどの弾性部材で形成されている場合には、前記端部７ａのエッジがディスクの面と摺動する際に前記エッジが変形して振動し、その結果エッジとディスクとの滑りノイズが発生しやすくなる。
【００１３】
すなわち、可動ベース５がフォーカシング方向へ動作したときに、ディスクの回転方向の下流側の端部７ｂがディスクに当たるよりも上流側の端部５ａがディスクに当たる方が、ディスクに対するダメージや前記滑りノイズが大きくなる。
【００１４】
さらに、前記保護部材７が、可動ベース５に接着剤で接着されている場合に、図９に示すように上流側の端部５ａがディスクの面と摺動すると、端部７ａ側から保護部材７に対して捲れ上げる力が作用するため、保護部材７が可動ベース５から剥がれ落ちる心配も生じる。
【００１５】
本発明は上記従来の課題を解決するためのものであり、保護部材がディスクに当たったときに、ディスクへのダメージを小さくでき、また滑り振動音を低減でき、さらに可動ベースに保護部材が接着されている場合に、この保護部材が剥がれやすくなるのを防止できるピックアップ装置を提供することを目的としている。
【００１６】
【課題を解決するための手段】
本発明は、対物レンズを保持する可動ベースと、前記可動ベースを前記対物レンズの光軸方向へ補正動作させる駆動手段とが設けられたピックアップ装置において、
前記可動ベースには、その表面が前記対物レンズの表面よりもディスクに接近する位置にある保護部が設けられており、前記保護部の表面の前記光軸方向での高さは、前記ディスクの回転方向の下流側よりも上流側の方が低くなっていることを特徴とするものである。
【００１７】
このピックアップ装置では、可動部材がディスクの方向へ大きく振れたときに、保護部うちのディスク回転方向の上流側端部が先行してディスクの面に当たる確率を少なくでき、ディスクが損傷するなどの問題を防止しやすくなる。
【００１８】
例えば、前記保護部の上面は、前記下流側から上流側にかけて連続する傾斜面である。
【００１９】
この傾斜面は平面的な傾斜面であっても曲面状の傾斜面であってもよい。また、保護部の上面が段差を有する形状であって、前記下流側から上流側にかけて段階的に低くなる形状であってもよい。この場合、前記段差の角部を曲面形状に形成しておくとさらに好ましい。
【００２０】
本発明では、前記保護部が可動ベースと一体に形成されていてもよいが、前記保護部は、可動ベースに取り付けられた保護部材により形成されているものであってもよい。さらに前記保護部は可動ベースの本体部よりも弾性変形しやすい材料で形成されていることが好ましい。
【００２１】
保護部材が可動ベースに固定されている場合に、前記保護部材は、前記可動ベースに対して傾斜して取り付けられているものであってもよい。
【００２２】
さらに、前記可動ベース上には、複数の係止部が設けられており、この係止部に挟まれた固定領域内に前記保護部材が固定されているものが好ましい。
【００２３】
保護部材が係止部に挟まれて固定されていると、保護部材とディスクとの摺動力が作用しても保護部材が剥がれにくくなる。また、保護部材を可動ベース上に固定する際の位置決めも容易である。
【００２４】
【発明の実施の形態】
図１は本発明の実施の形態としてディスク装置内に設けられたピックアップ装置を示す平面図、図２はピックアップ装置に搭載された可動ベースを保護部材を取り外した状態で示す拡大平面図、図３は図２のＩＩＩ方向からの側面図であり、（Ａ）はディスクとの非衝突状態を示し、（Ｂ）はディスクとの衝突状態を示す。図４ないし図７は図２のＩＶ−ＩＶ線の断面図を実施の形態別に示す部分断面図である。
【００２５】
図１に示すように、ディスク装置の内部にはスピンドルモータＭが設けられており、その回転軸Ｍ１の先端にターンテーブルＴが固定されている。前記ターンテーブルＴが回転駆動手段として機能し、ディスクＤの中心穴が前記ターンテーブルＴに設置される。
【００２６】
前記ターンテーブルＴの近傍には、ディスクＤの径方向（図示Ｘ方向、ラジアル方向）に対して平行に延びるスクリュー軸１１とガイド軸１２が平行に設けられて、このスクリュー軸１１とガイド軸１２に、ピックアップ装置１０が移動自在に支持されている。前記ピックアップ装置１０のベース１０ａは前記スクリュー軸１１と係合されており、図示しないスレッドモータでスクリュー軸１１が回転駆動されて、ピックアップ装置１０がラジアル方向へ移動させられる。
【００２７】
前記ピックアップ装置１０には支持基台２１が設けられており、前記支持基台２１には、前記径方向と直交する方向である図示Ｙ方向（タンデンシャル方向）の側面（Ｙ１側の側面）に基板２２が固定されている。
【００２８】
ワイヤー状の４本の弾性支持部材１３の基部は、前記支持基台２１に形成された貫通孔に挿通されて前記基板２２に固定されている。前記弾性支持部材１３はＹ方向へ平行に延びており、その先部に可動ベース２４が固定されている。
【００２９】
図２および図３（Ａ）（Ｂ）に示すように、前記可動ベース２４は樹脂材料により射出成形されたものであり、図示Ｘ１およびＸ２方向に向く側面には４本の支持アーム２４Ａが固定されている。それぞれの支持アーム２４Ａに前記弾性支持部材１３の先部が固定されることにより、前記可動ベース２４は、フォーカシング方向（Ｚ方向）およびトラッキング方向（Ｘ方向）へ移動自在に弾性支持されている。
【００３０】
図３に示すように、可動ベース２４の側面の周囲には、巻き溝２４Ｃが形成され、この巻き溝２４ＣにフォーカシングコイルＣｆが巻かれている。また、可動ベース２４のＹ１方向とＹ２方向に向く側面には、巻き掛け部２４Ｄと巻き掛け部２４ＥとがＺ方向へ間隔を開けて突出成形されており、対を成す巻き掛け部２４Ｄと２４ＥのそれぞれにトラッキングコイルＣｔ１，Ｃｔ２，Ｃｔ３，Ｃｔ４が巻かれている。
【００３１】
図１に示すように、ピックアップ装置１０のベース１０ａには、磁性材料で形成されたヨーク２７ａ，２７ｂと、このヨーク２７ａ，２７ｂに支持されたマグネット２８，２９が設けられており、このマグネット２８と２９が、前記フォーカシングコイルＣｆおよびトラッキングコイルＣｔ１，Ｃｔ２，Ｃｔ３，Ｃｔ４に対向している。
【００３２】
前記フォーカシングコイルＣｆを形成する導線の端部およびトラッキングコイルＣｔ１，Ｃｔ２，Ｃｔ３，Ｃｔ４を形成する導線の端部は、それぞれの支持アーム２４Ａに個別に半田付けされており、前記４本の弾性支持部材１３を介して、前記フォーカシングコイルＣｆにフォーカシング補正電流が与えられ、またトラッキングコイルＣｔ１，Ｃｔ２，Ｃｔ３，Ｃｔ４にトラッキング補正電流が与えられる。
【００３３】
可動ベース２４の上面２４Ｆ、すなわちディスク対向面には、鏡筒２４Ｂが図示Ｚ１方向に突出して設けられており、この鏡筒２４Ｂの先部内に対物レンズ２６が固定されている。
【００３４】
前記可動ベース２４の前記上面２４Ｆ上では、前記鏡筒２４ＢのＸ１およびＸ２方向の両側に、対を成す係止凸部２４ｂと２４ｃとが一体に突出形成されている。前記係止凸部２４ｂと２４ｃはＹ方向に間隔を空けて対向しており、両係止凸部２４ｂと２４ｃとの間には、一段低くなった固定領域が形成され、この固定領域に保護部材（保護部）３０が位置決めされて接着などの手段で固定されている。この実施の形態では、可動ベース２４に固定された前記保護部材３０が保護部として機能している。前記保護部材３０は、可動ベース２４の本体部分よりも軟質な材料で好ましくは弾性変形可能なシリコンゴムやその他のゴム材料、またはフェルト材などの集合素材、あるいはゴム材料と合成樹脂とが積層され、合成樹脂側の面が可動ベース２４に接着される積層材などで形成されている。
【００３５】
図３（Ａ）に示すように、前記保護部材３０の上面３０ｄ、すなわちディスクＤとの対向面は、対物レンズ２６の表面よりもディスクＤに近い位置にある。また鏡筒２４Ｂの上面が対物レンズ２６の表面よりもディスクＤ側に突出している場合には、前記保護部材３０の上面３０ｄは、鏡筒２４Ｂの上面よりもディスクＤに近い側に位置している。
【００３６】
また、保護部材３０の上面３０ｄでは、ディスクＤの回転方向（移動方向）の下流側に位置する端部３０ｂよりも上流側に位置する端部３０ａの方がディスクＤから離れた位置にある。すなわち、対物レンズ２６の光軸方向に向かう高さ位置は、端部３０ａの方が端部３０ｂよりも低い位置にある。この実施の形態では、保護部材３０の上面３０ｄが平坦面であり、この平坦面は、端部３０ｂよりも端部３０ａの方が低くなる連続した傾斜面を形成している。
【００３７】
図４ないし図７は、前記保護部材３０の上面３０ｄを上流側が低くなるように傾斜させるための支持構造を実施の形態別に示している。
【００３８】
図４に示す第１の実施の形態では、係止凸部２４ｂと２４ｃの間に位置する固定領域の底面２４ｅが、下流側において持ち上げられた傾斜平面となっている。この底面２４ｅの上に、立方体形状の保護部材３０が接着され、その上面３０ｄが、前記底面２４ｅと平行な傾斜面となっている。
【００３９】
図５に示す第２の実施の形態では、前記底面２４ｅが、上流側においてディスクから離れるように傾斜した平面となっており、この底面２４ｅに接着された保護部材３０の上面３０ｄが、傾斜面となっている。
【００４０】
図６に示す第３の実施の形態では、前記底面２４ｅが、対物レンズ２６の光軸と直交する平面である。この底面２４ｅの下流側にスペーサ３１が設置されて、保護部材３０とスペーサ３１が一緒に接着剤３２により接着されており、その結果、保護部材３０の上面３０ｄが傾斜面となっている。
【００４１】
図７に示す第４の実施の形態では、前記底面２４ｅが、対物レンズ２６の光軸と直交する平面であり、この底面２４ｅに接着された保護部材３０の上部が斜めにカットされて、傾斜する上面３０ｄが形成されている。
【００４２】
また、前記ピックアップ装置１０の内部には、その他の光学系の部材として、例えば所定の波長からなるレーザー光を出力する半導体レーザー、コリメータレンズ、ビームスプリッタ、集光レンズ、ビームスプリッタ、１／４波長板、記録信号およびフォーカシングエラー信号とトラッキングエラー信号を受光するフォト・ダイオードのなどの受光素子が設けられている（図示せず）。
【００４３】
以下、ピックアップ装置の動作について説明する。
スピンドルモータＭにより前記ターンテーブルＴおよびこれに設置されたディスクＤが回転させられるとともに、ピックアップ装置１０がターンテーブルＴに接近する内周側から外周側に向けて移動させられ、前記半導体レーザーから出力されたレーザー光が、コリメータレンズ、ビームスプリッタ、１／４波長板などを経て前記対物レンズ２６で集光されてディスクＤの記録面に照射される。
【００４４】
ディスクＤの記録面からの反射光は、前記対物レンズ２６、１／４波長板を介してビームスプリッタに導かれ、このビームスプリッタを経て集光レンズを介してフォト・ダイオードで受光される。
【００４５】
前記フォト・ダイオードで受光された信号から、記録データが読み取られるとともに、フォーカシングエラー信号とトラッキングエラー信号が検出され、これらエラー信号に基づいて生成されたフォーカシング補正駆動信号とトラッキング補正駆動信号がフォーカシングコイルＣｆおよびトラッキングコイルＣｔ１，Ｃｔ２，Ｃｔ３，Ｃｔ４に与えられる。
【００４６】
フォーカシングコイルＣｆに与えられる補正駆動信号に基づいて、前記可動ベース２４が図示Ｚ方向に駆動されてフォーカシング補正が行われ、トラッキングコイルＣｔ１，Ｃｔ２，Ｃｔ３，Ｃｔ４に与えられる補正駆動信号に基づいて、可動ベース２４が図示Ｘ方向に駆動されてトラッキング補正が行われる。
【００４７】
ここで、フォーカス補正動作の動作開始時の立ち上がり動作（引き込み動作）の際、あるいはフォーカシングコイルＣｆに過大電流が流されたとき、または外部から衝撃的な振動が与えられたときに、可動ベース２４がＺ１方向へ大きく振れることがある。このとき、前記保護部材３０の上面３０ｄが、対物レンズ２６の表面および鏡筒２４Ｂの上面よりもディスクＤに近い側に突出しているため、前記上面３０ｄがディスクＤの表面Ｄ１に当たる。図４に示すように、保護部材３０の上面３０ｄは、下流側の端面３０ｂが上に位置する傾斜面であるため、保護部材３０の上流側の端部３０ａよりも下流側の端部３０ｂが、ディスクＤの表面Ｄ１に先に当たる確率が高くなる。
【００４８】
ここで、図４と図９とを対比すると明らかなように、上流側の端部３０ａはディスクの回転方向の上流側にエッジが向けられているのに対し、下流側の端部３０ｂは下流側にエッジが向けられている。よって高速で回転しているディスクＤの表面Ｄ１に、端部３０ａが当たるよりも、端部３０ｂが当たる方が前記表面Ｄ１に与えられるダメージが小さくなる。また、下流側の端部３０ｂが表面Ｄ１に当たって摺動したときの、端部３０ｂの変形振動によるノイズも小さくなる。
【００４９】
さらに、下流側の端部３０ｂと表面Ｄ１とが摺動しても、この摺動力によって保護部材３０に捲れ上がるような力が作用しにくくなり、保護部材３０が固定領域の底面２４ｅから容易に剥がれるのを防止できる。
【００５０】
さらに、保護部材３０は、ディスクＤの回転方向に対向する係止凸部２４ｂと２４ｃとで挟まれているため、前記表面Ｄ１との摺動力が保護部材３０の上面３０ｄに作用しても、保護部材３０が可動ベース２４の上面２４Ｆにおいて位置ずれするなどの問題が生じ難い。
【００５１】
なお、前記対物レンズ２６の光軸に直交する平面に対する前記保護部材３０の上面３０ｄの傾斜角θは、２．０度以上３０度以下が好ましい（２．０°≦θ≦３０°）。すなわち、可動ベース２４がフォーカシング方向へ動作する際に、可動ベース２４の質量による前記光軸の傾きは最大で０．５度程度が予測される。組み立て時の光軸と上面２４Ｆとの傾き交差は最大で１度程度である。さらに組み立て時の光軸のタンゼンシャル方向へのスキュー調整角度は最大で０．５度程度である。よって、前記傾斜角θは２度以上であることが好ましい。なお、可動ベース２４がフォーカシング方向へ移動したときに、可動ベース２４の上流側の端部が保護部材３０の上面３０ｄよりも先に当たることがなく、しかも保護部材３０の高さ寸法を大きくし過ぎないようにするためには、前記傾斜角θは３０度以下であることが好ましい。
【００５２】
なお、本発明では、保護部材３０が可動ベース２４と一体化されていてもよいし、保護部材３０が可動ベース２４にインサート成形されていてもよい。保護部材３０は弾性部材で形成されていることが好ましいが、保護部が可動ベース２４と一体に形成されていても、下流側の端部がディスクＤの面に当たることにより、ディスクＤの面の損傷を抑制できる。
【００５３】
【発明の効果】
以上のように本発明では、フォーカシング引込み動作などにおいて、過大な電流が流れてピックアップ装置に搭載された可動ベースがディスクの記録面に衝突した場合であっても、ディスクの記録面に接触痕や損傷が生じるのを防止できる。
【００５４】
また振動音の発生も防止できるため、ユーザーに不快な思いをさせることがない。
【図面の簡単な説明】
【図１】本発明の実施の形態としてディスク装置内に設けられたピックアップ装置を示す平面図、
【図２】ピックアップ装置に搭載された可動ベースを拡大して示す平面図、
【図３】図２のＩＩＩ方向からの側面図であり、（Ａ）は非衝突状態を示す図、（Ｂ）は衝突状態を示す、
【図４】図２のＩＶ−ＩＶ線の断面図であり、本発明の第１の実施の形態を示す図、
【図５】図２のＩＶ−ＩＶ線の断面図であり、本発明の第２の実施の形態を示す図、
【図６】図２のＶ−Ｖ線の断面図であり、本発明の第３の実施の形態を示す図、
【図７】図２のＩＶ−ＩＶ線の断面図であり、本発明の第４の実施の形態を示す図、
【図８】従来のピックアップ装置の構造の主要部分の概略を示す概略図、
【図９】ピックアップがディスクの記録面に衝突した状態を示す部分拡大図、
【符号の説明】
１０  ピックアップ装置
１３  弾性支持部材
２４  可動ベース
２４ｂ，２４ｃ，２４ｄ  係止凸部
２４ｅ  固定領域の底面
２４Ｂ  鏡筒
２４Ｆ  可動ベースの上面
２６  対物レンズ
３０  保護部材（保護部）
３０ａ  上流側の端部
３０ｂ  下流側の端部
３０ｄ  保護部材の上面
Ｃｆ  フォーカシングコイル
Ｃｔ１，Ｃｔ２，Ｃｔ３，Ｃｔ４  トラッキングコイル
Ｄ  ディスク
Ｔ  ターンテーブル
θ  傾斜角
【図１】
2004303383.tif 000003
【図２】
2004303383.tif 000004
【図３】
2004303383.tif 000005
【図４】
2004303383.tif 000006
【図５】
2004303383.tif 000007
【図６】
2004303383.tif 000008
【図７】
2004303383.tif 000009
【図８】
2004303383.tif 000010
【図９】
2004303383.tif 000011